(57)【要約】【課題】  破断を伴って梱包箱が開梱されたときに梱包箱が開梱済みであるか否かを容易に認識できるようにする。【解決手段】  梱包箱を梱包する際に梱包箱の開封箇所に貼り付ける梱包体用部品２０を、表面に文字２２ａが印刷された開梱表示部材２２と、ゴムなどの伸縮材料により形成され開梱表示部材２２の文字２２ａが視認されないよう開梱表示部材２２の一部を被覆する表示被覆部材２４と、透明な材料により形成された表示被覆部材２４を被覆する透明被覆部材２６とを備えるものにした。こうすれば、梱包箱が開封箇所で破断されて梱包体用部品２０が破断されると、表示被覆部材２４が破断して縮んで開梱表示部材２２の文字２２ａが視認できるようになるから、梱包箱を開梱しようとする者は文字２２ａが視認できるか否かにより梱包箱が開梱済みであるか否かを容易に認識できる。【選択図】        図１
2007055635.tif 000002
【特許請求の範囲】
【請求項１】
梱包体の開封箇所に取り付けられる梱包体用部品であって、
破断を伴って該梱包体が開梱されたときに開梱済みを意図する開梱表示を視認可能に表示する表示手段
を備える梱包体用部品。
【請求項２】
前記表示手段は、前記開梱表示が表示された開梱表示部材と、伸縮材料により伸ばした状態で平面状に形成され前記開梱表示部材の前記開梱表示を被覆すると共に破断されたときに縮むように取り付けられた表示被覆部材と、透明な材料により平面状に形成され前記表示被覆部材を被覆するように取り付けられた透明被覆部材と、を備える手段である請求項１記載の梱包体用部品。
【請求項３】
前記表示手段は、空気に触れたときに発色する材料を用いて一方の面に前記開梱表示を表示した開梱表示部材と、透明材料により前記開梱表示部材の前記一方の面が空気に触れないように被覆した透明被覆部材と、を備える手段である請求項１記載の梱包体用部品。
【請求項４】
梱包体の梱包方法であって、
（ａ）破断を伴って前記梱包体が開梱されたときに開梱済みを意図する開梱表示を視認可能に表示する表示手段を備える梱包体用部品を前記梱包体を閉じた状態で該梱包体の開封箇所に取り付け、
（ｂ）前記梱包体用部品の上から前記梱包体の開封箇所を透明な材料により形成された透明封緘部材で封緘する
梱包方法。
【発明の詳細な説明】
【技術分野】
【０００１】
本発明は、梱包体用部品および梱包方法に関し、詳しくは、梱包体の開封箇所に取り付けられる梱包体用部品および梱包体の梱包方法に関する。
【背景技術】
【０００２】
従来、この種の梱包体用部品としては、周辺部に切りかけを備え、段ボール箱などの梱包箱の開封箇所に貼り付けて使用するものが提案されている（例えば、特許文献１参照）。この梱包体用部品では、梱包箱が開梱されると周辺部の切りかけで破れるから、その破れにより梱包箱を開梱しようとする者などに梱包箱が梱包された後に開梱されたことを認識させることができる。
【特許文献１】特開２００１−３４８０３０号公報
【発明の開示】
【発明が解決しようとする課題】
【０００３】
しかしながら、上述の梱包体用部品では、梱包箱を開梱しようとする者が梱包体用部品の破れが梱包箱が開梱されたことを示していることを予め知らないときには、梱包体用部品に破れがあることに気づいても開梱済みであることを認識できないことがある。梱包箱が開梱済みであることを容易に認識できるものとして、梱包箱の開封箇所に貼り付けて使用して、一旦剥がされると梱包箱の表面に開封済みなどの文字が現われるシールがある。しかしながら、このシールでは、梱包箱の開封箇所でカットされると一見して開封されたことがわからなくなってしまう。
【０００４】
本発明の梱包体用部品および梱包方法は、破断を伴って梱包体が開梱されたときに梱包体が開梱済みであるか否かを容易に認識できるようにすることを目的の一つとする。
【課題を解決するための手段】
【０００５】
本発明の梱包体用部品および梱包方法は、上述の目的を達成するために以下の手段を採った。
【０００６】
本発明の梱包体用部品は、
梱包体の開封箇所に取り付けられる梱包体用部品であって、
破断を伴って該梱包体が開梱されたときに開梱済みを意図する開梱表示を視認可能に表示する表示手段
を備えることを要旨とする。
【０００７】
本発明の梱包体用部品では、破断を伴って梱包体が開梱されたときに開梱済みを意図する開梱表示を視認可能に表示する。この結果、梱包体を開梱しようとする者は、破断を伴って梱包体が開梱済みであるか否かを容易に認識することができる。
【０００８】
本発明の梱包体用部品において、前記表示手段は、前記開梱表示が表示された開梱表示部材と、伸縮材料により伸ばした状態で平面状に形成され前記開梱表示部材の前記開梱表示を被覆すると共に破断されたときに縮むように取り付けられた表示被覆部材と、透明な材料により平面状に形成され前記表示被覆部材を被覆するように取り付けられた透明被覆部材と、を備える手段であるものとすることもできる。破断を伴って梱包体が開梱されると梱包体用部品の表示被覆部材が破断されて縮み、開梱表示部材の開梱表示が表示されるから、梱包体を開梱しようとする者などは、梱包体が開梱済みであるか否かを容易に認識することができる。また、破断して縮んだ表示被覆部材を修復するのは比較的困難であるため、梱包体用部品の再使用を抑制することができる。
【０００９】
本発明の梱包体用部品では、前記表示手段は、空気に触れたときに発色する材料を用いて一方の面に前記開梱表示を表示した開梱表示部材と、透明材料により前記開梱表示部材の前記一方の面が空気に触れないように被覆した透明被覆部材と、を備える手段であるものとすることもできる。破断を伴って梱包体が開梱されると、透明被覆部材が破断して開梱表示部材が空気に触れて発色して開梱表示部材に開梱表示が表示されるから、梱包体を開梱しようとする者などは、梱包体が開梱済みであるか否かを容易に認識することができる。また、空気に触れて発色した材料を発色前の状態に戻すことは比較的困難であるため、梱包体用部品の再使用を抑制することができる。
【００１０】
本発明の梱包体の梱包方法は、
梱包体の梱包方法であって、
（ａ）破断を伴って前記梱包体が開梱されたときに開梱済みを意図する開梱表示を視認可能に表示する表示手段を備える梱包体用部品を前記梱包体を閉じた状態で該梱包体の開封箇所に取り付け、
（ｂ）前記梱包体用部品の上から前記梱包体の開封箇所を透明な材料により形成された透明封緘部材で封緘する
ことを要旨とする。
【００１１】
本発明の梱包体の梱包方法では、破断を伴って梱包体が開梱されたときに開梱済みを意図する開梱表示を視認可能に表示する表示手段を備える梱包体用部品を梱包体を閉じた状態で梱包体の開封箇所に取り付け、梱包体用部品の上から梱包体の開封箇所を透明な材料により形成された透明封緘部材で封緘する。梱包体を開梱しようとする者などは、透明封緘部材の上から梱包体用部品を視認できるから、梱包体が開梱済みであるか否かを容易に認識することができる。
【発明を実施するための最良の形態】
【００１２】
次に、本発明を実施するための最良の形態を実施例を用いて説明する。
【実施例１】
【００１３】
図１は、本発明の第１実施例である梱包体用部品２０の構成の概略を示す構成図であり、図２は、図１のＡＡ線での梱包体用部品２０の断面を説明する説明図である。実施例の梱包体用部品２０は、薄い板状に形成され表面の中心付近に「開梱済」の文字２２ａが印刷された開梱表示部材２２と、ゴムなどの非透明な伸縮材料により形成され開梱表示部材２２の文字２２ａが視認されないよう開梱表示部材２２の文字２２ａが印刷された部位を被覆する表示被覆部材２４と、透明な材料により薄い板状に形成され表示被覆部材２４を被覆する透明被覆部材２６とを備える。
【００１４】
表示被覆部材２４は、開梱表示部材２２の文字２２ａを被覆する部位を除く図面上側の端部２４ａと図面下側の端部２４ｂとが外側に引っ張られて伸ばされた状態で端部２４ａ，２４ｂのみが開梱表示部材２２および透明被覆部材２６に接着されており、端部２４ａ，２４ｂ以外の部位、すなわち、開梱表示部材２２の文字２２ａを被覆する部位は、開梱表示部材２２および透明被覆部材２６に接着されていないが接した状態になっている。
【００１５】
こうして構成された実施例の梱包体用部品２０では、透明被覆部材２６を介して表示被覆部材２４と開梱表示部材２２の表示被覆部材２４で被覆されていない部位が視認できるが、開梱表示部材２２の文字２２ａは、非透明な表示被覆部材２４で被覆されているため視認できない。このような梱包体用部品２０が、例えば、図１のＡＡ線で破断されると、図３に例示するように、表示被覆部材２４の端部２４ａ，２４ｂが開梱表示部材２２および透明被覆部材２６に伸ばされた状態で接着されているため、表示被覆部材２４が端部２４ａ，２４ｂを支点にして縮み、開梱表示部材２２の文字２２ａが透明被覆部材２６上から視認できるようになる。
【００１６】
次に、こうして構成された実施例の梱包体用部品２０を用いて部品などを収納する梱包箱を梱包する方法について説明する。図４は、実施例の梱包体用部品２０を用いて梱包箱３０を梱包する際の工程の一例を示す工程図であり、図５は、実施例の梱包体用部品２０を用いて梱包箱３０が梱包された様子を示す説明図である。実施例の梱包方法では、まず、部品などの梱包したい物を梱包箱３０に収納した後で、梱包箱３０の両開きの蓋部３２ａ，３２ｂを合わせて梱包箱３０を閉じた状態にして（ステップＳ１００）、蓋部３２ａ，３２ｂの合わせ目３４に梱包体用部品２０の開梱表示部材２２の裏面（開梱表示部材２２の文字２２ａが印刷されていない面）を貼り付け（ステップＳ１１０）、貼り付けた梱包体用部品２０の上から蓋部３２ａ，３２ｂの合わせ目３４に沿って透明な材料からなる梱包テープ４０を貼り梱包箱３０を封緘する（ステップＳ１２０）。このようにして梱包箱３０を梱包すると、蓋部３２ａ，３２ｂの合わせ目３４に沿って梱包テープ４０と共に梱包体用部品２０が切断されて梱包箱３０が開封されたときには、梱包体用部品２０の表示被覆部材２４が破断して縮み、透明被覆部材２６を介して開梱表示部材２２の文字２２ａが視認できるようになる。従って、開梱表示部材２２の文字２２ａが視認できるか否かで梱包箱３０が開梱されたか否かを容易に認識することができる。なお、梱包テープ４０を剥がして梱包箱３０を開封したときでも、梱包体用部品２０の表示被覆部材２４が透明被覆部材２６と共に剥がされるなど一部が破断すると破断された部位で表示被覆部材２４が縮み開梱表示部材２２の文字２２ａが視認できるようになり、梱包箱３０が開梱されたことを一見して容易に認識することができるようになる。また、開梱表示部材２２が破断されるとその修復が比較的困難であるから、梱包体用部品２０の再使用を抑制することができる。
【００１７】
以上説明した第１実施例の梱包体用部品２０によれば、表示被覆部材２４が破断されると開梱表示部材２２の文字２２ａが視認できるようになる。このような梱包体用部品２０を梱包箱３０を梱包する際に梱包箱３０の開封箇所に貼り付けることにより、開梱表示部材２２の文字２２ａが視認できるか否かで梱包箱３０が開梱されたか否かを容易に認識することができる。
【００１８】
ここで、第１実施例の梱包体用部品２０の開梱表示部材２２と表示被覆部材２４と透明被覆部材２６とが表示手段に相当する。
【００１９】
第１実施例の梱包体用部品２０では、図１に示したＡＡ線で破断されるものとしたが、表示被覆部材２４が破断されると開梱表示部材２２の文字２２ａが表示されるような箇所であれば如何なる箇所で破断されてもよい。
【００２０】
第１実施例の梱包体用部品２０では、文字２２ａが開梱表示部材２２の表面の中央付近に印刷されているものとしたが、文字２２ａが印刷される位置は開梱表示部材２２の表面中央付近に限定したものではなく、破断前には表示被覆部材２４で被覆できて破断されて表示被覆部材２４が縮んだときに視認可能となる位置であれば如何なる位置に印刷されていてもよい。
【実施例２】
【００２１】
次に、本発明の第２実施例の梱包体用部品１２０について説明する。図６は、本発明の第２実施例である梱包体用部品１２０の構成の概略を示す構成図であり、図７は、図６のＢＢ線での梱包体用部品１２０の断面を説明する説明図である。実施例の梱包体用部品１２０は、その表面に、空気に触れる前には発色しておらず空気に触れたときに発色する酸素検知剤（例えば、アントラキノン系、インジゴ系、チアジン系、硫化染料等の還元剤によって色変化を示す染料、アルカリ金属またはアルカリ土類金属の水酸化物や塩等のアルカリ性物質、および還元糖類等の還元剤を必須成分とする組成物に、必要に応じて、溶媒、還元剤によって変色しない染料または顔料、水溶性高分子、バインダー樹脂等を組み合わせた材料）が「開梱済」の文字１２２ａの形状に塗布された開梱表示部材１２２と、透明な材料により形成され開梱表示部材１２２の表面が空気に触れないよう被覆した透明被覆部材１２６とを備える。開梱表示部材１２２と透明被覆部材１２６とは、互いに外周部が接着されているのみで、外周部より内側の部位は接着されておらず、開梱表示部材１２２が空気に触れないように開梱表示部材１２２と透明被覆部材１２６とは密着している。従って、開梱表示部材１２２の文字１２２ａは、透明被覆部材１２６を介して視認できないようになっている。
【００２２】
こうして構成された実施例の梱包体用部品１２０では、例えば、図６のＢＢ線で破断されると、図８に例示するように、開梱表示部材１２２と透明被覆部材１２６との間隙から空気が進入して開梱表示部材１２２の表面に印刷された酸素検知剤が空気に触れて発色して、開梱表示部材１２２の文字１２２ａが透明被覆部材１２６上から視認できるようになる。
【００２３】
こうして構成された実施例の梱包体用部品１２０を用いて梱包箱を梱包する工程は、図４に例示した梱包工程と同一の工程であり、実施例の梱包体用部品１２０を用いて梱包箱が梱包された様子は、図５に例示した説明図において梱包体用部品２０に代えて梱包体用部品１２０の開梱表示部材１２２の裏面を梱包箱３０に貼り付けた様子と同一である。したがって、第２実施例の梱包体用部品１２０を用いて梱包箱を梱包する方法と梱包体用部品１２０を用いて梱包箱３０が梱包された様子は、第１実施例の梱包体用部品２０を用いて梱包箱を梱包する方法と梱包体用部品２０を用いて梱包箱３０が梱包された様子の説明をもって説明したものとし、重複した説明を省略する。
【００２４】
梱包体用部品１２０を用いて梱包箱３０を梱包することにより、蓋部３２ａ，３２ｂの合わせ目３４に沿って梱包テープ４０と共に梱包体用部品１２０が切断されて梱包箱３０が開封されたときには、開梱表示部材１２２と透明被覆部材１２６との間隙から空気が進入して開梱表示部材１２２の表面が空気に晒される。開梱表示部材１２２が空気に晒されると表面に塗布された酸素検知剤が発色して、開梱表示部材１２２の文字１２２ａが透明被覆部材１２６上から視認できるようになる。従って、開梱表示部材１２２の文字１２２ａが視認できるか否かで梱包箱３０が開梱されたか否かを容易に認識することができる。なお、梱包テープ４０を剥がして梱包箱３０を開封したときでも、梱包体用部品２０の透明被覆部材１２６が剥がされるなどして何らかの形で開梱表示部材２２が空気に晒されると開梱表示部材２２の酸素検知剤が発色して文字１２２ａが視認できるようになるから、梱包箱３０が開梱されたことを一見して容易に認識することができるようになる。また、開梱表示部材１２２が空気に触れて発色した酸素検知剤を発色前の状態に戻すことは困難であるため、梱包体用部品１２０の再使用を抑制することができる。
【００２５】
以上説明した第２実施例の梱包体用部品１２０によれば、破断されると開梱表示部材１２２の文字１２２ａが視認できるようになる。このような梱包体用部品１２０を梱包箱３０を梱包する際に梱包箱３０の開封箇所に貼り付けることにより、開梱表示部材１２２の文字１２２ａが視認できるか否かで梱包箱３０が開梱されたか否かを容易に認識することができる。
【００２６】
ここで、第２実施例の梱包体用部品１２０の開梱表示部材１２２と透明被覆部材１２６とが表示手段に相当する。
【００２７】
第２実施例の梱包体用部品１２０では、開梱表示部材１２２は、酸素検知剤からなる材料を用いて表面に「開梱済」の文字１２２ａが塗布されているものとしてが、空気に触れたときに発色する材料であれば如何なる材料のものを用いてもよい。
【００２８】
第２実施例の梱包体用部品１２０では、図６に示したＢＢ線で破断されるものとしたが、開梱表示部材１２２と透明被覆部材１２６との間隙に空気が入り込むような箇所なら如何なる箇所で破断されてもよい。
【００２９】
第１実施例の梱包体用部品２０では、文字２２ａが開梱表示部材２２の表面の中央付近に印刷されているものとしが、文字２２ａが印刷される位置は開梱表示部材２２の表面中央付近に限定したものではなく、破断されると開梱表示部材１２２と透明被覆部材１２６との間隙に空気が入り込むような位置であれば如何なる位置に印刷されていてもよい。
【００３０】
第１実施例の梱包体用部品２０や第２実施例の梱包体用部品１２０では、破断されたときに文字が表示されるものとしたが、破断されたときに梱包箱３０が開梱済みであることを意図する表示がされるものであれば如何なるものでもよく、例えば、開梱されていることを示す絵が表示されるものとしてもよい。
【００３１】
第１実施例の梱包体用部品２０や第２実施例の梱包体用部品１２０では、梱包箱３０の両開きの蓋部３２ａ，３２ｂの合わせ目３４で封緘される梱包箱３０に用いるものとしたが、他の形状の梱包箱に用いるものとしてもよい。この場合、第１実施例の梱包体用部品２０や第２実施例の梱包体用部品１２０を貼り付ける位置は、梱包箱３０が開封される箇所であればよい。例えば、図９に例示する梱包箱３０Ｂのように、片開きの蓋部３２Ｂを閉じて部品などが収められる本体３６Ｂと合わせることにより閉じた状態になる梱包箱３０Ｂにおいては、蓋部３２Ｂと本体３６Ｂとの合わせ目３４Ｂに第１実施例の梱包体用部品２０や第２実施例の梱包体用部品１２０を貼り付けるものとしてもよい。
【００３２】
第１実施例の梱包体用部品２０や第２実施例の梱包体用部品１２０では、梱包箱３０に用いられるものとしたが、部品などを梱包でき所定の箇所で開封できるものであれば如何なるものに用いてもよく、例えば、包装紙や包装用袋などの開封箇所に用いるものとしてもよい。
【００３３】
以上、本発明を実施するための最良の形態について実施例を用いて説明したが、本発明はこうした実施例に何等限定されるものではなく、種々なる形態で実施し得ることは勿論である。
【図面の簡単な説明】
【００３４】
【図１】第１実施例である梱包体用部品２０の構成の概略を示す構成図。
【図２】図１のＡＡ線での梱包体用部品２０の断面を説明する説明図。
【図３】梱包体用部品２０が破断されたときの様子を示す説明図。
【図４】梱包体用部品２０を用いて梱包箱３０を梱包する際の工程を示す工程図。
【図５】梱包体用部品２０を用いて梱包箱３０が梱包された様子を示す説明図。
【図６】第２実施例である梱包体用部品１２０の構成の概略を示す構成図。
【図７】図６のＢＢ線での梱包体用部品１２０の断面を説明する説明図。
【図８】梱包体用部品１２０が破断されたときの様子を示す説明図。
【図９】梱包体用部品２０を用いて梱包箱３０Ｂが梱包された様子を示す説明図。
【符号の説明】
【００３５】
２０，１２０  梱包体用部品、２２，１２２  開梱表示部材、２２ａ，１２２ａ  文字、２４ａ，２４ｂ  端部、２４  表示被覆部材、２６，１２６  透明被覆部材、３０，３０Ｂ  梱包箱、３２ａ，３２ｂ，３２Ｂ  蓋部、３４，３４Ｂ  合わせ目、３６Ｂ  本体、４０  梱包テープ。
【図１】
2007055635.tif 000003
【図２】
2007055635.tif 000004
【図３】
2007055635.tif 000005
【図４】
2007055635.tif 000006
【図５】
2007055635.tif 000007
【図６】
2007055635.tif 000008
【図７】
2007055635.tif 000009
【図８】
2007055635.tif 000010
【図９】
2007055635.tif 000011